(57)【特許請求の範囲】
【請求項１】
外部のパケットデータネットワークとの網間接続を行う最上位ノードを含む複数のノードが階層的に接続されたネットワークと、移動端末の位置登録情報を含む加入者データ更新可能に保持する位置登録部とを備え、前記ネットワークの配下にある移動端末のパケット通信を可能にする通信システムにおいて、
前記複数のノードのうち少なくとも１つの階層に属する各ノードは、
前記位置登録部と直接通信するためのインターフェイス手段と、
当該ノードの下位から接続要求を受け取ると、前記接続要求の宛先加入者識別子に対応する宛先移動端末の位置を示す宛先位置登録情報を前記インターフェイス手段を通して前記位置登録部に問い合わせ、前記宛先移動端末に関する当該ノードと同一階層での位置登録情報を前記位置登録部から受け取り、前記同一階層宛先位置登録情報が当該ノードと同一であれば前記接続要求を折り返して前記移動端末と前記宛先移動端末との間の通信を可能にする通信経路制御手段と、
前記宛先加入者識別子に関連する、前記同一階層宛先位置登録情報または当該同一階層以下の宛先位置登録情報を含む宛先テーブルを記憶する記憶手段と、
を有し、前記同一階層宛先位置登録情報が当該ノードと異なる場合、前記宛先テーブルを前記接続要求と共に上位ノードまたは外部ネットワークへ送信することを特徴とする通信システム。
【請求項２】
前記ノードが前記移動端末から前記接続要求を受け取る最下層に属する最下層ノードであり、前記同一階層宛先位置登録情報が当該ノードと異なる場合には、前記通信経路制御手段は宛先加入者識別子と前記同一階層宛先位置登録情報とを含む第１宛先テーブルを作成し、前記接続要求と共に前記第１宛先テーブルを上位ノードへ送信することを特徴とする請求項１に記載の通信システム。
【請求項３】
前記ノードが前記最下層ノードと前記最上位ノードとの間にある中間ノードであり、前記同一階層宛先位置登録情報が当該中間ノードと異なる場合には、前記通信経路制御手段は、前記最下層ノードから受け取った第１宛先テーブルに当該中間ノードの前記同一階層宛先位置登録情報を追加した第２宛先テーブルを作成し、前記接続要求と共に前記第２宛先テーブルを前記最上位ノードへ送信することを特徴とする請求項２に記載の通信システム。
【請求項４】
前記ノードが前記最上位ノードであり前記同一階層宛先位置登録情報が当該ノードと異なる場合には、前記通信経路制御手段は、前記中間ノードから受け取った第２宛先テーブルに当該最上位ノードの前記同一階層宛先位置登録情報を追加した第３宛先テーブルを作成し、前記接続要求と共に前記第３宛先テーブルを当該同一階層宛先位置登録情報により特定される外部ネットワークの最上位ノードへ送信することを特徴とする請求項３に記載の通信システム。
【請求項５】
前記ノードは、折り返しの場合に対応した課金を行う課金手段をさらに具備していることを特徴とする請求項１〜４のいずれか１項に記載の通信システム。
【請求項６】
外部のパケットデータネットワークとの網間接続を行うゲートウェイであるＧＧＳＮ(Gateway GPRS Support Node)ノードに接続されたＳＧＳＮ(Serving GPRS Support Node)ノードを有する階層ネットワークと、移動端末の位置登録情報を含む加入者データを持つＨＬＲ(Home Location Register)とを備えたＧＰＲＳ(General Packet Radio Service)の通信システムにおける前記ＳＧＳＮノードと移動端末との間の通信を中継するＲＮＣノードにおいて、
前記ＨＬＲと直接通信するためのインターフェイス手段と、
前記移動端末から接続要求を受け取ると、前記接続要求の宛先加入者識別子に対応する宛先移動端末の位置を示す宛先位置登録情報を前記インターフェイス手段を通して前記ＨＬＲに問い合わせ、前記宛先移動端末に関する宛先側ＲＮＣノードの位置登録情報を前記ＨＬＲから受け取り、前記宛先側ＲＮＣ位置登録情報と自己の位置登録情報とが同一であれば前記接続要求を折り返して前記移動端末と前記宛先移動端末との間の通信を可能にする通信経路制御手段と、
前記接続要求の宛先情報に前記宛先側ＲＮＣ位置登録情報を追加した宛先テーブルを記憶する記憶手段と、
を有し、前記宛先側ＲＮＣ位置登録情報と自己の位置登録情報とが異なる場合、前記宛先テーブルをPDP Context情報に含めて前記接続要求と共に上位のＳＧＳＮノードへ送信することを特徴とするＲＮＣノード。
【請求項７】
外部のパケットデータネットワークとの網間接続を行うゲートウェイであるＧＧＳＮ(Gateway GPRS Support Node)に接続され、移動端末との間の通信を中継するＳＧＳＮ(Serving GPRS Support Node)ノードにおいて、
前記ＨＬＲと直接通信するためのインターフェイス手段と、
前記下位ノードから宛先テーブルを含む接続要求を受け取ると、前記接続要求の宛先加入者識別子に対応する宛先移動端末の位置を示す宛先位置登録情報を前記インターフェイス手段を通して前記ＨＬＲに問い合わせ、前記宛先移動端末に関する宛先側ＳＧＳＮノードの位置登録情報を前記ＨＬＲから受け取り、前記宛先側ＳＧＳＮ位置登録情報と自己の位置登録情報とが同一であれば前記接続要求を折り返して前記移動端末と前記宛先移動端末との間の通信を可能にする通信経路制御手段と、
前記宛先テーブルに前記宛先側ＳＧＳＮ位置登録情報を追加した宛先テーブルを記憶する記憶手段と、
を有し、前記宛先側ＳＧＳＮ位置登録情報と自己の位置登録情報とが異なる場合、前記宛先テーブルをPDP Context情報に含めて前記接続要求と共に上位ＧＧＳＮノードへ送信することを特徴とするＳＧＳＮノード。
【請求項８】
外部のパケットデータネットワークとの網間接続を行うゲートウェイであるＧＧＳＮ(Gateway GPRS Support Node)において、
前記ＨＬＲと直接通信するためのインターフェイス手段と、
下層ノードであるＳＧＳＮ(Serving GPRS Support Node)ノードから宛先テーブル含む接続要求を受け取ると、前記接続要求の宛先加入者識別子に対応する宛先移動端末の位置を示す宛先位置登録情報を前記インターフェイス手段を通して前記ＨＬＲに問い合わせ、前記宛先移動端末に関する宛先側ＧＧＳＮノードの位置登録情報を前記ＨＬＲから受け取り、前記宛先側ＧＧＳＮ位置登録情報と自己の位置登録情報とが同一であれば前記接続要求を折り返して前記移動端末と前記宛先移動端末との間の通信を可能にする通信経路制御手段と、
前記接続要求の宛先テーブルに前記宛先側ＧＧＳＮ位置登録情報を追加した宛先テーブルを記憶する記憶手段と、
を有し、前記宛先側ＧＧＳＮ位置登録情報と自己の位置登録情報とが異なる場合、前記宛先テーブルをPDP Context情報に含めて前記接続要求と共に宛先の外部ネットワークへ送信するを有することを特徴とするＧＧＳＮノード。
【請求項９】
外部のパケットデータネットワークとの網間接続を行う最上位ノードを含む複数のノードが階層的に接続されたネットワークと、移動端末の位置登録情報を含む加入者データ更新可能に保持する位置登録部とを備えた通信システムの通信方法において、
前記複数のノードのうち少なくとも１つの階層に属する各ノードは、
当該ノードの下位から接続要求を受け取り、
前記接続要求の宛先加入者識別子に対応する宛先移動端末の位置を示す宛先位置登録情報を前記位置登録部に問い合わせ、
前記宛先移動端末に関する当該ノードと同一階層での位置登録情報を前記位置登録部から受け取ると、前記宛先加入者識別子に関連する、前記同一階層宛先位置登録情報または当該同一階層以下の宛先位置登録情報を含む宛先テーブルを記憶し、
前記同一階層宛先位置登録情報が当該ノードと同一であれば前記接続要求を折り返して前記移動端末と前記宛先移動端末との間の通信を可能にし、
前記同一階層宛先位置登録情報が当該ノードと異なる場合には前記宛先テーブルを前記接続要求と共に上位ノードまたは外部ネットワークへ送信する、
ことを特徴とする通信方法。
【請求項１０】
外部のパケットデータネットワークとの網間接続を行う最上位ノードを含む複数のノードが階層的に接続されたネットワークと、移動端末の位置登録情報を含む加入者データ更新可能に保持する位置登録部とを備えた通信システムの通信方法において、
移動端末から接続要求を受け取った第１ノードは、
前記接続要求の宛先加入者識別子に対応する宛先移動端末の位置を示す宛先位置登録情報を前記位置登録部に問い合わせ、
前記宛先移動端末に関する当該第１ノードと同一階層での位置登録情報である第１同一階層宛先位置登録情報を前記位置登録部から受け取ると、前記宛先加入者識別子と前記第１同一階層宛先位置登録情報とを含む第１宛先テーブルを生成し、
前記第１同一階層宛先位置登録情報が当該第１ノードと同一であれば前記接続要求を折り返し、
前記第１同一階層宛先位置登録情報が当該第１ノードと異なる場合には、前記接続要求と共に前記第１宛先テーブルを上位ノードへ送信し、
前記第１ノードから前記接続要求を前記第１宛先テーブルと共に受け取った第２ノードは、
前記接続要求の宛先加入者識別子に対応する宛先移動端末の位置を示す宛先位置登録情報を前記位置登録部に問い合わせ、
前記宛先移動端末に関する当該第２ノードと同一階層での位置登録情報である第２同一階層宛先位置登録情報を前記位置登録部から受け取ると、前記宛先加入者識別子と前記第２同一階層宛先位置登録情報とを含む第２宛先テーブルを生成し、
前記第２同一階層宛先位置登録情報が当該ノードと同一であれば前記接続要求を折り返し、
前記第２同一階層宛先位置登録情報が当該ノードと異なる場合には、前記接続要求と共に前記第２宛先テーブルを上位ノードへ送信し、
下位ノードから前記接続要求を前記第２宛先テーブルと共に受け取った前記最上位ノードは、
前記接続要求の宛先加入者識別子に対応する宛先移動端末の位置を示す宛先位置登録情報を前記位置登録部に問い合わせ、
前記宛先移動端末に関する当該最上位ノードと同一階層での位置登録情報である第３同一階層宛先位置登録情報を前記位置登録部から受け取ると、前記宛先加入者識別子と前記第３同一階層宛先位置登録情報とを含む第３宛先テーブルを生成し、
前記第３同一階層宛先位置登録情報が当該最上位ノードと同一であれば前記接続要求を折り返し、
前記第３同一階層宛先位置登録情報が当該最上位ノードと異なる場合には、前記接続要求と共に前記第３宛先テーブルを宛先ネットワークの最上位ノードへ送信する、
ことにより前記移動端末と前記宛先移動端末との通信を可能にすることを特徴とする通信方法。
【発明の詳細な説明】
【０００１】
【発明の属する技術分野】
本発明はＧＰＲＳシステムに関し、より詳しくは、現状のＧＰＲＳ（General Packet Radio Service）システムの構成をそのままに、インタフェースの追加などでＧＰＲＳ網内通信を可能としたＧＰＲＳシステムおよび同システムにおける網内移動端末間通信方法に関する。
【０００２】
【従来の技術】
ＧＰＲＳ（General Packet Radio Service：汎用パケット無線サービス）とは、欧州統一規格のディジタル・セルラーシステムであるＧＳＭ（global system for mobile communication）ネットワークをバックボーンとしたパケット交換サービスである。
【０００３】
なお、汎用パケット無線サービス（以下、単にＧＰＲＳと記す）による通信システムに係る技術は、例えば、特開２０００−２０１１７２号公報、特表２００１−５１７９１０号公報に開示がある。その他、特表２０００−５０３８２５号公報、特表２００１−５０８９７０号公報、特表２０００−５０３８２５号公報もまたＧＰＲＳ通信網に関する技術を開示している。
【０００４】
図８は、従来のＧＰＲＳによる典型的な通信システムの構成例を示すシステム構成図である。無線網制御装置ＲＮＣ５´，６´，７´，８´に接続された図示しない個々の基地局ＢＳがそれぞれのエリア内の移動端末ＭＳ９´，１０´等と無線通信を行う。各ＲＮＣは、ＧＴＰ（ＧＰＲＳ Tunneling Protocol ）カプセリングの開始及び終端点となる。
【０００５】
ＧＰＲＳの通信網を構成する主要なノードとして、ＳＧＳＮ（Serving GPRS Support Node ）及びＧＧＳＮ（Gateway GPRS Support Node ）という２種類のノードがある。これらＳＧＳＮ及びＧＧＳＮは、利用者のユーザ端末（移動端末、Mobile Station：ＭＳ）と通信先との間において、その通信を中継する。
【０００６】
ＳＧＳＮ：３´，４´は、公衆陸上移動網（Public Land Mobile Network：ＰＬＭＮ）１００´内における移動端末（ＭＳ）９´，１０´やＧＧＳＮ：２´とのデータの転送を行う。例えば、ＳＧＳＮ：３´は、配下のノードであるＲＮＣ（無線網制御装置）５´，６´からのアップリンク(Uplink)の呼を取りまとめ、逆にＧＧＳＮ：２´からのダウンリンク(Downlink)の呼をＲＮＣ：５´，６´に分散する。ＳＧＳＮ：３´は、ＧＧＳＮ：２´との間ではトンネリング（Tunneling ）によるパケット転送を行う。また、ＳＧＳＮ：３´，４´は、ＨＬＲ（Home Location Register：ホームロケーションレジスタ）１´の持つ加入者情報データのコピーを常に受け取っている。
【０００７】
なお、ここで公衆陸上移動網（Public Land Mobile Network：ＰＬＭＮ）１００´とは、ある移動通信事業者管轄下の一つの通信サービスエリアのことである。公衆陸上移動網１００´においては、ＳＧＳＮが複数箇所に備えられているが、図では、２つのＳＧＳＮ：３´，４´のみを示している。
【０００８】
ＨＬＲ：１´は、加入者情報（登録位置情報、課金情報など）のデータベース・ノードであり、そのデータのコピーをＳＧＳＮ：３´等に送信するものである。すなわち、ＨＬＲ：１´は、各移動体加入者に関して、ＰＳＴＮナンバリング・プランにおける移動体電話加入を独自に特定する移動局ＩＳＤＮ番号（ＭＳＩＳＤＮ）や、各加入者に割り当てられ移動体ネットワークにおける信号発信に使用される独自のアイデンティティである国際移動体加入者アイデンティティ（ＩＭＳＩ）などの恒久的加入者データを保持する。ＨＬＲ：１´は、移動体加入者に現在サービスしているＶＬＲのアドレスに対応する現在加入者ロケーション番号と共に移動体加入者が使用することを許可されているサービスのリストも含む。全てのネットワーク関連加入者情報はＩＭＳＩに対応付けられている。なお、ＨＬＲ：１´に対しての各移動端末ＭＳからの位置登録は、ＳＧＳＮ経由で行われＳＧＳＮ address 等が把握される。
【０００９】
ＧＧＳＮ：２´は、ＩＰデータ・ネットワークなどの外部データ・パケット・ネットワークへの論理インターフェイスとして働き網間接続を行う。つまり、ＧＧＳＮ：２´は、配下のノードであるＳＧＳＮ：３´，４´からのアップリンクの呼を取りまとめ、外部のＩＰデータ・ネットワーク等にアクセスするためのゲートウェイ（Gateway ）である。図８においては、ＧＧＳＮ：２´のアクセス先のネットワークをＩＰ網（Internet Protocol Network ）２００、ＩＰ網２００の側に備えるＧＧＳＮ：１１を、アクセスポイント（Access Point：ＡＰ）としている。ＧＧＳＮ：２´は、ダウンリンクの呼に対して、ＳＧＳＮ：３´，４´までのトンネル（Tunnel）を張る。
【００１０】
ところで、現在３ＧＰＰ（3rd Generation Partnership Project）においては、移動端末（ＭＳ）はインターネット( the internet) 中のサーバやホストに向けて発呼をするか、または逆にそれらから着呼をするかのいずれかのトラヒックについてのみ仕様化が行われていて、同一ＧＰＲＳ網内でのＭＳ対ＭＳという通信形態について仕様化されていない現状がある。
【００１１】
然しながら、無線接続ネットワーク内で、又は極端な場合には同じ建造物内でなど同じエリア内で移動体から移動体への通信需要が考えられる。従ってもし同一ＧＰＲＳ網内通信が可能であると好ましい。特に、網内のノードでの折り返し経路の設定によりＭＳ−ＭＳ間通信が実現できれば、通信経路の短縮やＧＧＳＮでの輻輳回避が可能となり特に好ましい。このためには、現状のＧＰＲＳ第三世代移動体通信システムＧＰＲＳ構成になんらかの新たなアーキテクチャを追加する必要がある。この場合に新しいノードを導入する等、大規模な改変を伴うものでは開発コスト、導入コストの面で問題となる。
【００１２】
【発明が解決しようとする課題】
そこで、本発明は、現状のＧＰＲＳ構成をそのままに、インタフェースの追加など僅かな変更により、システムの利便性を増すＧＰＲＳ網内での折り返しによる移動端末間通信を極めて低コストで実現する技術を提供することを目的としている。
【００１３】
【課題を解決するための手段】
課題解決のため、請求項１に記載の本発明では、外部のパケットデータネットワークとの網間接続を行う最上位ノードを含む複数のノードが階層的に接続されたネットワークと、移動端末の位置登録情報を含む加入者データ更新可能に保持する位置登録部とを備え、前記ネットワークの配下にある移動端末のパケット通信を可能にする通信システムにおいて、前記複数のノードのうち少なくとも１つの階層に属する各ノードは、前記位置登録部と直接通信するためのインターフェイス手段と、当該ノードの下位から接続要求を受け取ると、前記接続要求の宛先加入者識別子に対応する宛先移動端末の位置を示す宛先位置登録情報を前記インターフェイス手段を通して前記位置登録部に問い合わせ、前記宛先移動端末に関する当該ノードと同一階層での位置登録情報を前記位置登録部から受け取り、前記同一階層宛先位置登録情報が当該ノードと同一であれば前記接続要求を折り返して前記移動端末と前記宛先移動端末との間の通信を可能にする通信経路制御手段と、前記宛先加入者識別子に関連する、前記同一階層宛先位置登録情報または当該同一階層以下の宛先位置登録情報を含む宛先テーブルを記憶する記憶手段と、を有し、前記同一階層宛先位置登録情報が当該ノードと異なる場合、前記宛先テーブルを呼制御情報に含めて前記接続要求と共に上位ノードまたは外部ネットワークへ送信することを特徴とする。
【００１４】
請求項２に記載の発明は、請求項１に記載の通信システムにおいて、前記ノードが前記移動端末から前記接続要求を受け取る最下層に属する最下層ノードであり、前記同一階層宛先位置登録情報が当該ノードと異なる場合には、前記通信経路制御手段は宛先加入者識別子と前記同一階層宛先位置登録情報とを含む第１宛先テーブルを作成し、前記接続要求と共に前記第１宛先テーブルを呼制御情報に含めて上位ノードへ送信することを特徴とする。請求項３に記載の発明は、請求項２に記載の通信システムにおいて、前記ノードが前記最下層ノードと前記最上位ノードとの間にある中間ノードであり、前記同一階層宛先位置登録情報が当該中間ノードと異なる場合には、前記通信経路制御手段は、前記最下層ノードから受け取った第１宛先テーブルに当該中間ノードの前記同一階層宛先位置登録情報を追加した第２宛先テーブルを作成し、前記接続要求と共に前記第２宛先テーブルを呼制御情報に含めて前記最上位ノードへ送信することを特徴とする。請求項４に記載の発明は、請求項３に記載の通信システムにおいて、前記ノードが前記最上位ノードであり前記同一階層宛先位置登録情報が当該ノードと異なる場合には、前記通信経路制御手段は、前記中間ノードから受け取った第２宛先テーブルに当該最上位ノードの前記同一階層宛先位置登録情報を追加した第３宛先テーブルを作成し、前記接続要求と共に前記第３宛先テーブルを呼制御情報に含めて当該同一階層宛先位置登録情報により特定される外部ネットワークの最上位ノードへ送信することを特徴とする。
【００１５】
請求項５に記載の発明は、請求項１〜４のいずれかに記載の通信システムにおいて、前記ノードは、折り返しの場合に対応した課金を行う課金手段をさらに具備していることを特徴とする。
【００１６】
請求項６に記載の発明では、外部のパケットデータネットワークとの網間接続を行うゲートウェイであるＧＧＳＮ(Gateway GPRS Support Node)ノードに接続されたＳＧＳＮ(Serving GPRS Support Node)ノードを有する階層ネットワークと、移動端末の位置登録情報を含む加入者データを持つＨＬＲ(Home Location Register)とを備えたＧＰＲＳ(General Packet Radio Service)の通信システムにおける前記ＳＧＳＮノードと移動端末との間の通信を中継するＲＮＣノードにおいて、前記ＨＬＲと直接通信するためのインターフェイス手段と、前記移動端末から接続要求を受け取ると、前記接続要求の宛先加入者識別子に対応する宛先移動端末の位置を示す宛先位置登録情報を前記インターフェイス手段を通して前記ＨＬＲに問い合わせ、前記宛先移動端末に関する宛先側ＲＮＣノードの位置登録情報を前記ＨＬＲから受け取り、前記宛先側ＲＮＣ位置登録情報と自己の位置登録情報とが同一であれば前記接続要求を折り返して前記移動端末と前記宛先移動端末との間の通信を可能にする通信経路制御手段と、前記接続要求の宛先情報に前記宛先側ＲＮＣ位置登録情報を追加した宛先テーブルを記憶する記憶手段と、を有し、前記宛先側ＲＮＣ位置登録情報と自己の位置登録情報とが異なる場合、前記宛先テーブルをPDP Context情報に含めて前記接続要求と共に上位のＳＧＳＮノードへ送信することを特徴とする。
【００１７】
請求項７に記載の発明では、外部のパケットデータネットワークとの網間接続を行うゲートウェイであるＧＧＳＮ(Gateway GPRS Support Node)に接続され、移動端末との間の通信を中継するＳＧＳＮ(Serving GPRS Support Node)ノードにおいて、前記ＨＬＲと直接通信するためのインターフェイス手段と、前記下位ノードから宛先テーブルを含む接続要求を受け取ると、前記接続要求の宛先加入者識別子に対応する宛先移動端末の位置を示す宛先位置登録情報を前記インターフェイス手段を通して前記ＨＬＲに問い合わせ、前記宛先移動端末に関する宛先側ＳＧＳＮノードの位置登録情報を前記ＨＬＲから受け取り、前記宛先側ＳＧＳＮ位置登録情報と自己の位置登録情報とが同一であれば前記接続要求を折り返して前記移動端末と前記宛先移動端末との間の通信を可能にする通信経路制御手段と、前記宛先テーブルに前記宛先側ＳＧＳＮ位置登録情報を追加した宛先テーブルを記憶する記憶手段と、を有し、前記宛先側ＳＧＳＮ位置登録情報と自己の位置登録情報とが異なる場合、前記宛先テーブルをPDP Context情報に含めて前記接続要求と共に上位ＧＧＳＮノードへ送信することを特徴とする。
【００１８】
請求項８に記載の発明では、外部のパケットデータネットワークとの網間接続を行うゲートウェイであるＧＧＳＮ(Gateway GPRS Support Node)において、前記ＨＬＲと直接通信するためのインターフェイス手段と、下層ノードであるＳＧＳＮ(Serving GPRS Support Node)ノードから宛先テーブル含む接続要求を受け取ると、前記接続要求の宛先加入者識別子に対応する宛先移動端末の位置を示す宛先位置登録情報を前記インターフェイス手段を通して前記ＨＬＲに問い合わせ、前記宛先移動端末に関する宛先側ＧＧＳＮノードの位置登録情報を前記ＨＬＲから受け取り、前記宛先側ＧＧＳＮ位置登録情報と自己の位置登録情報とが同一であれば前記接続要求を折り返して前記移動端末と前記宛先移動端末との間の通信を可能にする通信経路制御手段と、前記接続要求の宛先テーブルに前記宛先側ＧＧＳＮ位置登録情報を追加した宛先テーブルを記憶する記憶手段と、を有し、前記宛先側ＧＧＳＮ位置登録情報と自己の位置登録情報とが異なる場合、前記宛先テーブルをPDP Context情報に含めて前記接続要求と共に宛先の外部ネットワークへ送信するを有することを特徴とする。
【００１９】
請求項９に記載の本発明方法によれば、外部のパケットデータネットワークとの網間接続を行う最上位ノードを含む複数のノードが階層的に接続されたネットワークと、移動端末の位置登録情報を含む加入者データ更新可能に保持する位置登録部とを備えた通信システムの通信方法において、前記複数のノードのうち少なくとも１つの階層に属する各ノードは、当該ノードの下位から接続要求を受け取り、前記接続要求の宛先加入者識別子に対応する宛先移動端末の位置を示す宛先位置登録情報を前記位置登録部に問い合わせ、前記宛先移動端末に関する当該ノードと同一階層での位置登録情報を前記位置登録部から受け取ると、前記宛先加入者識別子に関連する、前記同一階層宛先位置登録情報または当該同一階層以下の宛先位置登録情報を含む宛先テーブルを記憶し、前記同一階層宛先位置登録情報が当該ノードと同一であれば前記接続要求を折り返して前記移動端末と前記宛先移動端末との間の通信を可能にし、前記同一階層宛先位置登録情報が当該ノードと異なる場合には前記宛先テーブルを前記接続要求と共に上位ノードまたは外部ネットワークへ送信する、ことを特徴とする。
また、請求項１０に記載の本発明方法によれば、外部のパケットデータネットワークとの網間接続を行う最上位ノードを含む複数のノードが階層的に接続されたネットワークと、移動端末の位置登録情報を含む加入者データ更新可能に保持する位置登録部とを備えた通信システムの通信方法において、移動端末から接続要求を受け取った第１ノードは、前記接続要求の宛先加入者識別子に対応する宛先移動端末の位置を示す宛先位置登録情報を前記位置登録部に問い合わせ、前記宛先移動端末に関する当該第１ノードと同一階層での位置登録情報である第１同一階層宛先位置登録情報を前記位置登録部から受け取ると、前記宛先加入者識別子と前記第１同一階層宛先位置登録情報とを含む第１宛先テーブルを生成し、前記第１同一階層宛先位置登録情報が当該第１ノードと同一であれば前記接続要求を折り返し、前記第１同一階層宛先位置登録情報が当該第１ノードと異なる場合には、前記接続要求と共に前記第１宛先テーブルを呼制御情報に含めて上位ノードへ送信する。前記第１ノードから前記接続要求を前記第１宛先テーブルと共に受け取った第２ノードは、前記接続要求の宛先加入者識別子に対応する宛先移動端末の位置を示す宛先位置登録情報を前記位置登録部に問い合わせ、前記宛先移動端末に関する当該第２ノードと同一階層での位置登録情報である第２同一階層宛先位置登録情報を前記位置登録部から受け取ると、前記宛先加入者識別子と前記第２同一階層宛先位置登録情報とを含む第２宛先テーブルを生成し、前記第２同一階層宛先位置登録情報が当該ノードと同一であれば前記接続要求を折り返し、前記第２同一階層宛先位置登録情報が当該ノードと異なる場合には、前記接続要求と共に前記第２宛先テーブルを呼制御情報に含めて上位ノードへ送信する。下位ノードから前記接続要求を前記第２宛先テーブルと共に受け取った前記最上位ノードは、前記接続要求の宛先加入者識別子に対応する宛先移動端末の位置を示す宛先位置登録情報を前記位置登録部に問い合わせ、前記宛先移動端末に関する当該最上位ノードと同一階層での位置登録情報である第３同一階層宛先位置登録情報を前記位置登録部から受け取ると、前記宛先加入者識別子と前記第３同一階層宛先位置登録情報とを含む第３宛先テーブルを生成し、前記第３同一階層宛先位置登録情報が当該最上位ノードと同一であれば前記接続要求を折り返し、前記第３同一階層宛先位置登録情報が当該最上位ノードと異なる場合には、前記接続要求と共に前記第３宛先テーブルを呼制御情報に含めて宛先ネットワークの最上位ノードへ送信する。これにより前記移動端末と前記宛先移動端末との通信を可能にする。
【００２０】
【発明の実施の形態】
〔実施例〕以下、実施例を挙げ図面を参照して本発明について詳細に説明する。先ず、本発明方法を実現するためのシステム構成について説明する。図１は、本発明に係るＧＰＲＳネットワークシステムの一実施例を示すシステム構成図図である（ブロック構成的には図８と同等）。図１を参照すると、例示システムは、ホームロケーションレジスタ（ＨＬＲ）１、ゲートウェイＧＰＲＳサポートノード（Gateway GSN ；ＧＧＳＮ）２、サービス供給ＧＰＲＳサポートノード（Serving GSN ；ＳＧＳＮ）３，４、無線網制御装置ＲＮＣ（５，６，７，８）、および、移動端末（ＭＳ）９，１０を含み構成されている。このシステムには、図には示さないが多数のノードおよび端末が接続されている。
【００２１】
ホームロケーションレジスタ（ＨＬＲ）１は、前記ＧＧＳＮ，ＳＧＳＮ，ＲＮＣと直接に通信が可能な通信手段を備えている。すなわち、ＧＧＳＮ，ＳＧＳＮ，ＲＮＣそれぞれから当該ノード配下の移動端末の位置登録情報データ、あるいはこの情報データの要求等を直接に受信するための受信手段と、要求されたデータを直接に通知する送信手段を持つ。ＨＬＲ：１は、加入者のＩＭＳＩ（国際移動加入者識別子）、IP addressなど、ロケーションについての情報を持つ。そして、Subscription data 中に、本来含まれるＳＧＳＮ address in use ３１に加えて、ＲＮＣ address in use ２１とＧＧＳＮ address in use ４１とを持ち、これらを求めに応じてそれぞれＧＧＳＮ，ＳＧＳＮ，ＲＮＣへと直接に送信できる。
【００２２】
ここで、ＲＮＣ address in use ２１は、位置登録および位置のupdate時に移動端末９，１０よりＨＬＲ：１に記録される時点で使用している、current ＲＮＣ addressを指す。また、ＧＧＳＮ address in use ４１は、同じく記録時点で使用している、current ＧＧＳＮ addressを指す。
【００２３】
無線網制御装置ＲＮＣ：５，６，７，８は、図示を省略した配下の基地局ＢＳからの呼が集まる。各ＲＮＣは、ＧＴＰ（ＧＰＲＳ Tunneling Protocol ）カプセリングの開始及び終端点となる。実施例のＲＮＣは、接続要求を自ノードで折り返すことも可能な通信経路制御手段と、ＨＬＲ：１とのインタフェース手段（通信手段）を持つ。すなわち、当該ノード配下の移動端末（ユーザ端末）の位置登録情報データを前記ＨＬＲ：１へ送信する送信手段と、前記ＨＬＲ：１から通知される位置登録情報を取得する受信手段と、を有している。
【００２４】
また特に、実施例のＲＮＣでは、呼制御情報であるPDP context ２２を持ち、その中にＭＳ：９−ＭＳ：１０間通信用の宛先テーブルA1：２３を持つ。更に、現在のＲＮＣ context には実装されていないものとして、PDP context ２２中に、折り返しの場合に対応した課金を行うための課金情報としてパケットカウンタおよび流量計を具備している。なお、通常のＲＮＣが備えるその他の機能を当然に備えている。
【００２５】
前記ＳＧＳＮ（サービス供給ＧＰＲＳサポートノード）３，４はパケットデータサービスノードで、ＧＴＰパケットをＲＮＣ（５，６，７，８）とＧＧＳＮ：２の間で中継する。ＳＧＳＮ：３，４には、配下のＲＮＣからの呼が集まる。このＳＧＳＮは加入者情報として、MM contextを持つ。また、ＳＧＳＮは、ＨＬＲ：１とのインタフェース手段（通信手段）を備えている。すなわち、所定移動端末の位置登録情報データを前記ＨＬＲへ要求する送信手段と、前記ＨＬＲから通知される所定移動端末の位置登録情報を取得する受信手段とを有している。また、接続要求を自ノードで折り返し可能な経路制御機能を備えた通信経路制御手段を持っている。更に、実施例のＳＧＳＮは、呼制御情報であるPDP context ３２中にＭＳ(9) −ＭＳ(10)通信用の宛先テーブルA2：３３を持っている。なお、通常のＳＧＳＮが備えるその他の機能を当然に備えている。
【００２６】
ＧＧＳＮ（ゲートウェイＧＰＲＳサポートノード）２は、無線アクセスネットワークとthe internetとのgateway を成す。ＧＧＳＮ：２には、配下のＳＧＳＮ：３，４からの呼が集まる。また、ＧＴＰカプセリングの終端及び開始点となる。
【００２７】
特に実施例のＧＧＳＮ：２は、ＨＬＲ：１とのインタフェース手段（通信手段）を持つ。すなわち、前記ＨＬＲ：１へ所定移動端末の位置登録情報データを前記ＨＬＲへ要求する送信手段と、前記ＨＬＲ：１から通知される所定移動端末の位置登録情報を取得する受信手段とを有している。更に、呼制御情報であるPDP context(40) 中にＭＳ(9) −ＭＳ(10)通信用宛先テーブルA(41) を持つ。また、接続要求を自ノードで折り返し可能な経路制御機能を備えた通信経路制御手段を持っている。また、加入者情報として、MM contextを持つ。
【００２８】
本実施例の移動端末ＭＳ（ユーザ端末）９，１０は、基地局ＢＳ（図示なし）を介して各ＲＮＣと無線通信を行う通信部および受信部とを備える。なお、各移動端末ＭＳは、グローバルＩＰアドレスを備えて、ＩＰアドレスによる外部からの接続を受け付ける。
【００２９】
上記実施例の通信システムでは、各ノードにおける各部の所定機能や、移動端末における所定機能をハードウェア的に実現することもできるが、各機能を備えるコンピュータプログラムを、コンピュータ処理装置のメモリにロードされることで実現することができる。当該コンピュータプログラムは、磁気ディスク、半導体メモリその他の記録媒体に格納される。そして、その記録媒体からコンピュータ処理装置にロードされ、コンピュータ処理装置の動作を制御することにより、上述した各機能を実現する。
【００３０】
〔B-1.；ＲＮＣ折り返し〕続いて、実施例システムにおける同一システム内の端末間の通信動作について説明する。先ず、ＲＮＣ折り返し動作について図を参照して説明する。図２は、図１で説明した実施例システムにおけるＲＮＣ折り返し動作が実施される場合の通信の流れを説明する説明図である。ここでは、移動端末ＭＳ：９から移動端末ＭＳ：１０Ａに送信が行われるとする。また、図３は、移動端末ＭＳおよびＲＮＣの動作を説明するフローチャートである。
【００３１】
本発明によるパケット送信は、国際的な移動体加入者識別手段（ＩＭＳＩ）を所有するＧＰＲＳ加入者（ＩＭＳＩ所有者）が宛先である場合に適用される。各ＭＳ例えばＭＳ：９は電源投入により、まず位置登録（attach）を行う。本実施例においては、ＭＳ：９はＧＴＰ制御メッセージ( Attach Request) をＲＮＣ：５に送信し（ステップ；Ｓ１１）、上位のＳＧＳＮ：３によってＨＬＲ：１に対してＭＳ：９の現在位置の通知がなされる（Ｓ１２）。
【００３２】
そして、データパケットがＭＳ：９からＲＮＣ：５へ送信される場合を例にとると、送信前接続要求時（Ｓ１３）にＲＮＣ：５において宛先ＭＳ：１０ＡのＩＭＳＩおよびIP ad dress がＲＮＣ：５におけるPDP context ２２中の宛先テーブルA1：２３に記録される（ステップ；Ｓ２１）。
【００３３】
それから、ＲＮＣ：５は宛先ＩＭＳＩをキーにＨＬＲ：１に当該宛先移動端末のＲＮＣ address in use：２１を問い合わせ（Ｓ２２）、返送結果を宛先ＲＮＣアドレスとして上記宛先テーブルA1：２３に記録する（Ｓ２３）。
【００３４】
そして、ＲＮＣ：５では、宛先テーブルA1：２３を基に宛先ＲＮＣアドレスが発信者の在圏ＲＮＣ＿IP addressと同一であるか否かを判定する（Ｓ２４）。宛先ＲＮＣアドレスが同一圏内であることを認識した場合には（Ｓ２４：ＹＥＳ）、配下の無線網にpagingを掛ける（Ｓ２５）。その後にＭＳ：９よりパケットがＲＮＣ：５に送信される。
【００３５】
ＲＮＣ：５では、送信されたパケットをここで折り返して相手端末のＭＳ：１０Ａへとパケット送信する（Ｓ２６）。また、この折り返しの場合に対応した課金を行うために、現在のＲＮＣ context には実装されていないものとして、ＲＮＣ：５のPDP context ：２２中にパケットカウンタ、流量計を設置する。
【００３６】
もし、上記過程（Ｓ２４）により、宛先ＲＮＣアドレスが発信者の在圏ＲＮＣ IP addressと同一ではないことが確認できた場合には（Ｓ２４：ＮＯ）、ＲＮＣ：５はＭＳ：９より送信されたパケットを上位ノードのＳＧＳＮ：３に送信する（Ｓ２７）。
【００３７】
〔B-2.；ＳＧＳＮ折り返し〕次に、ＳＧＳＮ折り返し動作について図４、図５を参照して説明する。図４は、図１で説明した実施例システムにおいてＳＧＳＮ折り返し動作が実施される場合の通信の流れを説明する説明図である。ここでは、移動端末ＭＳ：９からＲＮＣ：６配下の移動端末ＭＳ：１０Ｂに対して送信が行われるものとする。図５は、主としてＳＧＳＮの動作を説明するフローチャートである。
【００３８】
ＳＧＳＮ折り返し動作においても、上述したＲＮＣ折り返し〔B-1.〕におけるＳ１１、Ｓ１２、Ｓ２１〜Ｓ２４までの処理は共通で、ＲＮＣ：５が、ステップ；Ｓ２４で宛先ＲＮＣアドレスが発信者の在圏ＲＮＣ＿IP addressと異なっていることを認識した場合（ＮＯ）には、同一ＲＮＣ：５配下に相手端末ＭＳ：１０Ｂが在圏していないことが分かるため、ＲＮＣ：５はＳＧＳＮ：３までアクセスを試みる（Ｓ２７）。
【００３９】
ＳＧＳＮ：３では、上記ＲＮＣからの宛先テーブルA1：２３をＳＧＳＮ：３におけるPDP context ３２中に宛先テーブルA2：３３としてコピーする（ステップ；Ｓ３１）。それからＳＧＳＮ：３は宛先ＩＭＳＩをキーにＨＬＲ：１にＳＧＳＮ address in use を問い合わせ（Ｓ３２）、得られた該当ＳＧＳＮ address in use ：３１を宛先テーブルA2：３３に宛先ＳＧＳＮアドレスとして記録する（Ｓ３３）。
【００４０】
次いて、ＳＧＳＮ：３からＲＮＣ：５へもCreate PDP Context Requestを送信し（この方向のトンネル作成は３ＧＰＰ仕様にない）、相手側にもＧＴＰトンネルを形成する。それから、ＭＳ：９よりパケットが送信され、このパケットはＲＮＣ：５経由でＳＧＳＮ：３に送信され、ＳＧＳＮ：３ではパケットを折り返して当該ＲＮＣ：６から相手端末ＭＳ：１０Ｂへとパケット送信する（Ｓ３６）。なお、この折り返しに対応した所定の課金が行われる。
【００４１】
もし、上記過程（Ｓ３４）にて宛先ＳＧＳＮアドレスが発信者の在圏ＳＧＳＮ IP address と同一ではないことが確認できた場合には（ＮＯ）、ＳＧＳＮ：３はＭＳ：９より送信されたパケットを上位のＧＧＳＮ：２に送信する（Ｓ３７）。図７は、主としてＧＧＳＮの動作を説明するフローチャートである。
【００４２】
〔B-3.；ＧＧＳＮ折り返し〕次に、ＧＧＳＮ折り返し動作について図６、図７を参照して説明する。図６は、図１で説明した実施例システムにおいてＲＮＣ折り返し動作が実施される場合の通信の流れを説明する説明図である。ここでは、移動端末ＭＳ：９からＲＮＣ：７配下の移動端末ＭＳ：１０Ｃに送信が行われるものとする。
【００４３】
ＧＧＳＮ折り返し動作においても、前述したＲＮＣ折り返し〔B-1.〕，ＳＧＳＮ折り返し〔B-2.〕における処理過程Ｓ１１、Ｓ１２、Ｓ２１〜Ｓ２４、Ｓ３１〜Ｓ３４までの処理は共通であるが、ＳＧＳＮ：３が、宛先ＳＧＳＮアドレスが発信者の在圏ＳＧＳＮ IP address と異なっていることを認識した場合には（Ｓ３４；ＮＯ）、同一ＳＧＳＮ：３の配下に相手端末が在圏していないことが分かるため、ＧＧＳＮ：２までアクセスを試みる（Ｓ３７）。
【００４４】
ＧＧＳＮ：２では、上記ＳＧＳＮ：３の宛先テーブルA2：３３をＧＧＳＮ：２におけるPDP context ４２中に宛先テーブルA3：４３としてコピーする（Ｓ４１）。それからＧＧＳＮ：２は宛先ＩＭＳＩをキーにＨＬＲ：１にＧＧＳＮ address in use を問い合わせ（Ｓ４２）、得られた該当ＧＧＳＮ address in use ：４１を上記宛先テーブルA3：４３に宛先ＧＧＳＮアドレスとして記録する（Ｓ４３）。
【００４５】
そして、ＧＧＳＮ：２では、宛先テーブルA3：４３を基に宛先ＧＧＳＮアドレスが発信者の在圏ＧＧＳＮ IP address と同一であるか否かを判定し（Ｓ４４）、同一であることを認識した場合には、（Ｓ４４：ＹＥＳ）宛先テーブルA3：４３中の宛先ＳＧＳＮアドレス（ここではＳＧＳＮ：４）を経由してさらに宛先ＲＮＣアドレス（ここではＲＮＣ：７）にアクセスする。
【００４６】
これを受け、宛先ＲＮＣアドレスのＲＮＣ：７では配下の無線網にpagingを掛ける（Ｓ４５）。その後、ようやくＲＮＣ：５からＳＧＳＮ：３、ＳＧＳＮ：３からＧＧＳＮ：２へとCreate PDP Context Requestメッセージを送信し、発信者側のＧＴＰトンネルを形成する。
【００４７】
次いで、ＧＧＳＮ：２からＳＧＳＮ：４、ＳＧＳＮ：４からＲＮＣ：７へもCreate PDP Context Request を送信し（これらの方向のトンネル作成は３ＧＰＰ仕様にない）、相手側にもＧＴＰトンネルを形成する。
【００４８】
それから、ＭＳ：９よりパケットが送信され、このパケットはＲＮＣ：５、ＳＧＳＮ：３経由でＧＧＳＮ：２に送信され、ＧＧＳＮ：２ではパケットを折り返して当該宛先ＳＧＳＮ：４、ＲＮＣ：７、相手端末ＭＳ：１０Ｃへとパケット送信する（Ｓ４６）。なお、この折り返しに対応して所定の課金が行われる。
【００４９】
もし、上記過程（Ｓ４４）にて宛先ＧＧＳＮアドレスが発信者の在圏ＧＧＳＮ IP address と同一ではないことが確認できた場合には（ＮＯ）、ＧＧＳＮ：２はＭＳ：９より送信されたパケットを宛先ＧＧＳＮアドレスに転送する（Ｓ４７）。なお、実施例システムでは、ＧＧＳＮが一つであるが、同様のＧＧＳＮを複数持つシステムも考えられ、このようなシステムで他の網内ＧＧＳＮにパケットが転送された場合には、転送先ＧＧＳＮで同様の処理をしてＧＧＳＮ折り返しを行うものとする。
【００５０】
本発明の移動端末間通信方法については、上述実施例における説明であきらかなように、ＧＰＲＳの通信システムにおいて、各ノードでの以下のような各処理を含み構成される。
【００５１】
ＨＬＲは、加入者毎のＩＭＳＩ、IP addressなどの情報および、加入者毎のＧＧＳＮ address in use ，ＳＧＳＮ address in use ，ＲＮＣ address in useを保持・更新する。
【００５２】
そして、ＲＮＣは、配下の移動端末の位置登録情報データを前記ＨＬＲへ送信し、利用者の移動端末からの接続要求が発生した場合に、当該データパケットをバッファリングし、接続先移動端末の位置登録情報を直接取得する。そして、ＨＬＲから取得した接続先移動端末の位置登録情報を参照して、配下の移動端末に当該接続要求先の移動端末が含まれるかを判定し、含まれる場合には当該接続先移動端末への経路を接続するが、含まれない場合には当該接続要求を上位ＳＧＳＮへと転送する。
【００５３】
ＳＧＳＮは、利用者の移動端末からの接続要求がＲＮＣから転送された場合に、当該データパケットをバッファリングし、前記ＨＬＲから接続先移動端末の位置登録情報を直接取得する。そして、この取得した接続先移動端末の位置登録情報を参照して、自身（ＳＧＳＮ）のアドレスとＨＬＲより取得したＳＧＳＮ address in use（相手ＭＳが在圏）が一致するかを判定し、一致する場合には当該接続先ＲＮＣへの経路を接続するが、一致しない場合には当該接続要求を上位ＧＧＳＮへと転送する。
【００５４】
ＧＧＳＮは、利用者の移動端末からの接続要求がＲＮＣから転送された場合に、当該データパケットをバッファリングし、前記ＨＬＲから接続先移動端末の位置登録情報を直接取得する。そして、この取得した接続先移動端末の位置登録情報を参照して、自身（ＧＧＳＮ）のアドレスとＨＬＲより取得したＧＧＳＮ address in use（相手ＭＳが在圏）が一致するかを判定し、一致する場合には当該接続先ＳＧＳＮへの経路を接続するが、一致しない場合には当該接続要求を宛先ＧＧＳＮへと転送する。
【００５５】
なお、以上説明した一連の処理においては、相手端末の在圏ＲＮＣを探し出した後、pagingを行ってからデータ送信しているが、データを相手の在圏ＲＮＣまで送信した後pagingを行う構成・制御とすることも可能で、同等の作用・効果が得られる。
【００５６】
以上説明した実施例ではＧＧＳＮ，ＳＧＳＮ，ＲＮＣそれぞれが、折り返し接続可能な構成になっているが、任意の種類のノードのみ上述実施例で説明した機能を持つようにして、他の種類のノードは従来通りとする形態も同様に可能である。例えば、ＲＮＣに従来通りの構成のものを使用し、これより上位の折り返し可能なＳＧＳＮおよびＧＧＳＮからＨＬＲ：１に直接に各ＭＳの現在位置の通知等がなされるようにした実施の形態も考えられる。この場合には、上述実施例で説明した如く構成されたＳＧＳＮ，ＧＧＳＮによって前述実施例の場合と類似の動作が行われ、ＳＧＳＮおよびＧＧＳＮにおける折り返し接続が可能となる。
【００５７】
同様に、ＲＮＣおよびＳＧＳＮに従来通りの構成のものを使用し、これに既述実施例で説明した如き本発明によるＧＧＳＮを組み合わせた実施の形態も考えられる。この場合にはＧＧＳＮにより既述実施例と類似の動作が行われ、ＧＧＳＮにおける折り返し接続が可能になる。あるいは、ＲＮＣのみが折り返し接続をする構成、ＳＧＳＮのみが折り返し接続をする構成も考えられる。また、同様なＧＰＲＳシステム内の端末間の通信における上記したと同様の経路短縮が、基地局での折り返しも同様のＨＬＲアクセス機能を持たせることによっても実現可能である。
【００５８】
なお、説明した実施例では、各ＭＳはＧＴＰ制御メッセージ(Attach Request)を在圏ＲＮＣに送信し、上位ＳＧＳＮによってＨＬＲ：１に直接ＭＳの現在位置の通知がなされている。これは、既知の位置登録方法を、ＳＧＳＮで、ＧＧＳＮ address in use，ＲＮＣ address in useＧＳＮを抽出して、ＳＧＳＮ address in useと併せてＳＧＳＮよりＨＬＲに通知するように変更することで実現できる。
【００５９】
以上好ましい実施例・実施の形態をあげて本発明を説明したが、本発明は必ずしも上記実施例及び実施の形態例に限定されるものではなく、その技術的思想の範囲内において様々に変形して実施することができる。
【００６０】
【発明の効果】
本発明によれば、現在の３ＧＰＰでは標準化されていない、ＭＳ→ＲＮＣ→ＭＳ、ＭＳ→ＳＧＳＮ→ＭＳなど、ＧＧＳＮより手前でフローを折り返した、ＧＰＲＳのＭＳ−ＭＳ間網内通信を行うことができる。これにより利便性が増すとともに経路短縮を実現できる。また、折り返しノードより上位のノードにおけるトラヒックの軽減化ができる。特に、本発明では、上記新たなＭＳ−ＭＳ間通信を、ＧＰＲＳの構成ノードに大きな変更を加えることなく、PDP context などのメモリー領域の確保やＨＬＲとのインタフェースの設置のみの僅かな変更にて、ＧＰＲＳ網内ＭＳ−ＭＳ通信を実現できる実用的効果がある。
【図面の簡単な説明】
【図１】本発明に係るＧＰＲＳネットワークシステムの一実施例を示すシステム構成図である。
【図２】実施例システムにおいてＲＮＣ折り返し動作が実施される場合の通信の流れを説明する説明図である。
【図３】実施例システムにおける移動端末ＭＳおよびＲＮＣの動作を説明するフローチャートである。
【図４】実施例システムにおいてＳＧＳＮ折り返し動作が実施される場合の通信の流れを説明する説明図である。
【図５】実施例システムにおけるＳＧＳＮの動作を説明するフローチャートである。
【図６】実施例システムにおいてＧＧＳＮ折り返し動作が実施される場合の通信の流れを説明する説明図である。
【図７】実施例システムにおけるＧＧＳＮの動作を説明するフローチャートである。
【図８】従来のＧＰＲＳによる典型的な通信システムの構成例を示すシステム構成図である。
【符号の説明】
１…ＨＬＲ（Home Location Register：ホームロケーションレジスタ）
２…ＧＧＳＮ（Gateway GPRS Support Node ）
３，４…ＳＧＳＮ（Serving GPRS Support Node ）
５，６，７，８…ＲＮＣ（Radio Network Controller：無線網制御装置）
９，１０，１０Ａ，１０Ｂ，１０Ｃ…ＭＳ（Mobile Station：移動端末）
２１…ＲＮＣ address in use
２２…ＲＮＣのPDP contexts
２３…宛先テーブルA1
３１…ＳＧＳＮ address in use
３２…ＳＧＳＮのPDP contexts
３３…宛先テーブルA2
４１…ＧＧＳＮ address in use
４２…ＧＧＳＮのPDP contexts
４３…宛先テーブルA3
１００…公衆陸上移動網（ＰＬＭＮ）
２００…ＩＰ網
【図１】
0003738737.tif 000002
【図２】
0003738737.tif 000003
【図３】
0003738737.tif 000004
【図４】
0003738737.tif 000005
【図５】
0003738737.tif 000006
【図６】
0003738737.tif 000007
【図７】
0003738737.tif 000008
【図８】
0003738737.tif 000009